【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報を可変表示する可変表示部を備え、可変表示の開始条件の成立に応じて前記可変表示部において識別情報の可変表示を開始し、可変表示時間が経過したときに導出表示する識別情報の表示結果があらかじめ定められた特定表示結果となったときに、遊技者にとって有利な特定遊技状態に制御する遊技機であって、
遊技状態を制御する遊技制御マイクロコンピュータと、
前記遊技制御マイクロコンピュータが制御を行う際に発生する変動データを記憶する変動データ記憶手段と、
遊技機への電力供給が停止していても所定期間は前記変動データ記憶手段の記憶内容の保持が可能な記憶内容保持手段と、
所定の電源電圧を監視して電圧の低下を検出したことにもとづいて電圧低下信号を出力する電源監視手段と、
操作に応じて操作信号を出力する操作手段と、
前記遊技制御マイクロコンピュータからのコマンドにもとづいて演出用の電気部品を制御する演出制御マイクロコンピュータとを備え、
前記遊技制御マイクロコンピュータは、
前記電源監視手段からの前記電圧低下信号にもとづいて、前記変動データ記憶手段にバックアップフラグを設定する処理と、前記変動データ記憶手段の記憶内容が正常か否かの判定に用いるチェックデータを作成して前記変動データ記憶手段に保存する処理とを含む電力供給停止時処理を実行し、
電力供給が開始されたときに、前記操作手段からの前記操作信号が入力されていることを確認したときに、前記変動データ記憶手段の記憶内容を初期化する初期化処理を実行し、
電力供給が開始されたときに、前記操作手段からの前記操作信号が入力されていないことを確認したときには、前記変動データ記憶手段に前記バックアップフラグが設定されているか否か判定し、前記バックアップフラグが設定されていないときには前記初期化処理を実行し、前記変動データ記憶手段に前記バックアップフラグが設定されているときには前記チェックデータにもとづいて前記変動データ記憶手段の記憶内容が正常か否かの判定を行い、該判定により前記変動データ記憶手段の記憶内容が正常でないことを確認したときには前記初期化処理を実行し、該判定により前記変動データ記憶手段の記憶内容が正常であることを確認したときに該記憶内容にもとづいて制御状態を復旧させる復旧処理を実行し、
前記演出制御マイクロコンピュータに対して、識別情報の可変表示を開始するときに可変表示時間を特定するためのコマンドを送信し、可変表示時間が経過したときに確定コマンドを送信し、
前記演出制御マイクロコンピュータは、前記確定コマンドが送信されたときに前記可変表示部に表示結果を導出表示する制御を行い、
前記遊技制御マイクロコンピュータは、識別情報の可変表示中に前記電源監視手段からの前記電圧低下信号にもとづいて前記電力供給停止時処理が実行され、その後に電力供給が開始されたときに前記復旧処理が実行された場合には、残り可変表示時間が経過したときに前記確定コマンドを送信する
ことを特徴とする遊技機。
【手続補正２】
【補正対象書類名】明細書
【補正対象項目名】００１０
【補正方法】変更
【補正の内容】
【００１０】
本発明による遊技機は、各々を識別可能な複数種類の識別情報を可変表示する可変表示部を備え、可変表示の開始条件の成立に応じて可変表示部において識別情報の可変表示を開始し、可変表示時間が経過したときに導出表示する識別情報の表示結果があらかじめ定められた特定表示結果となったときに、遊技者にとって有利な特定遊技状態に制御する遊技機であって、遊技状態を制御する遊技制御マイクロコンピュータと、遊技制御マイクロコンピュータが制御を行う際に発生する変動データを記憶する変動データ記憶手段（例えば、ＲＡＭ）と、遊技機への電力供給が停止していても所定期間は変動データ記憶手段の記憶内容の保持が可能な記憶内容保持手段と、所定の電源電圧を監視して電圧の低下を検出したことにもとづいて電圧低下信号を出力する電源監視手段と、操作に応じて操作信号を出力する操作手段（例えば、クリアスイッチ９２１）と、遊技制御マイクロコンピュータからのコマンドにもとづいて演出用の電気部品を制御する演出制御マイクロコンピュータとを備え、遊技制御マイクロコンピュータは、電源監視手段からの電圧低下信号にもとづいて、変動データ記憶手段にバックアップフラグを設定する処理と、変動データ記憶手段の記憶内容が正常か否かの判定に用いるチェックデータを作成して変動データ記憶手段に保存する処理とを含む電力供給停止時処理を実行し、電力供給が開始されたときに、操作手段からの操作信号が入力されていることを確認したときに、変動データ記憶手段の記憶内容を初期化する初期化処理を実行し、電力供給が開始されたときに、操作手段からの操作信号が入力されていないことを確認したときには、変動データ記憶手段にバックアップフラグが設定されているか否か判定し、バックアップフラグが設定されていないときには初期化処理を実行し、変動データ記憶手段にバックアップフラグが設定されているときにはチェックデータにもとづいて変動データ記憶手段の記憶内容が正常か否かの判定を行い、該判定により変動データ記憶手段の記憶内容が正常でないことを確認したときには初期化処理を実行し、該判定により変動データ記憶手段の記憶内容が正常であることを確認したときに該記憶内容にもとづいて制御状態を復旧させる復旧処理を実行し、演出制御マイクロコンピュータに対して、識別情報の可変表示を開始するときに可変表示時間を特定するためのコマンドを送信し、可変表示時間が経過したときに確定コマンドを送信し、演出制御マイクロコンピュータは、確定コマンドが送信されたときに可変表示部に表示結果を導出表示する制御を行い、遊技制御マイクロコンピュータは、識別情報の可変表示中に電源監視手段からの電圧低下信号にもとづいて電力供給停止時処理が実行され、その後に電力供給が開始されたときに復旧処理が実行された場合には、残り可変表示時間が経過したときに確定コマンドを送信することを特徴とするものである。
【手続補正３】
【補正対象書類名】明細書
【補正対象項目名】００１１
【補正方法】変更
【補正の内容】
【００１１】
本発明によれば、遊技機を、各々を識別可能な複数種類の識別情報を可変表示する可変表示部を備え、可変表示の開始条件の成立に応じて可変表示部において識別情報の可変表示を開始し、可変表示時間が経過したときに導出表示する識別情報の表示結果があらかじめ定められた特定表示結果となったときに、遊技者にとって有利な特定遊技状態に制御する遊技機であって、遊技状態を制御する遊技制御マイクロコンピュータと、遊技制御マイクロコンピュータが制御を行う際に発生する変動データを記憶する変動データ記憶手段と、遊技機への電力供給が停止していても所定期間は変動データ記憶手段の記憶内容の保持が可能な記憶内容保持手段と、所定の電源電圧を監視して電圧の低下を検出したことにもとづいて電圧低下信号を出力する電源監視手段と、操作に応じて操作信号を出力する操作手段と、遊技制御マイクロコンピュータからのコマンドにもとづいて演出用の電気部品を制御する演出制御マイクロコンピュータとを備え、遊技制御マイクロコンピュータは、電源監視手段からの電圧低下信号にもとづいて、変動データ記憶手段にバックアップフラグを設定する処理と、変動データ記憶手段の記憶内容が正常か否かの判定に用いるチェックデータを作成して変動データ記憶手段に保存する処理とを含む電力供給停止時処理を実行し、電力供給が開始されたときに、操作手段からの操作信号が入力されていることを確認したときに、変動データ記憶手段の記憶内容を初期化する初期化処理を実行し、電力供給が開始されたときに、操作手段からの操作信号が入力されていないことを確認したときには、変動データ記憶手段にバックアップフラグが設定されているか否か判定し、バックアップフラグが設定されていないときには初期化処理を実行し、変動データ記憶手段にバックアップフラグが設定されているときにはチェックデータにもとづいて変動データ記憶手段の記憶内容が正常か否かの判定を行い、該判定により変動データ記憶手段の記憶内容が正常でないことを確認したときには初期化処理を実行し、該判定により変動データ記憶手段の記憶内容が正常であることを確認したときに該記憶内容にもとづいて制御状態を復旧させる復旧処理を実行し、演出制御マイクロコンピュータに対して、識別情報の可変表示を開始するときに可変表示時間を特定するためのコマンドを送信し、可変表示時間が経過したときに確定コマンドを送信し、演出制御マイクロコンピュータは、確定コマンドが送信されたときに可変表示部に表示結果を導出表示する制御を行い、遊技制御マイクロコンピュータは、識別情報の可変表示中に電源監視手段からの電圧低下信号にもとづいて電力供給停止時処理が実行され、その後に電力供給が開始されたときに復旧処理が実行された場合には、残り可変表示時間が経過したときに確定コマンドを送信することを特徴とする構成としたので、遊技店での遊技機運用上の利便性を向上させることができる。